(57)【特許請求の範囲】
【請求項１】
電源としての電池と、この電池を駆動源とするモータおよびこのモータにより動作するポンプを備えた本体部と、洗浄液を貯留し前記本体部に摺動可能に套嵌されるタンク部と、前記本体に一端を回動軸部を介して取り付けられ、他端は前記洗浄液を噴出する噴出孔を有するノズルとを備えた携帯用洗浄器であって、
前記回動軸の回転角度に応じて本体部の流路との当接面積を変化させて流路を開閉し、流路の開閉状態により前記洗浄液が噴出する流量を調整するパッキンを備えたことを特徴とする携帯用洗浄器。
【発明の詳細な説明】
【０００１】
【発明の属する技術分野】
本発明は、肛門付近等を洗浄するために用いられ、一般にポータブルウォッシュレット等と称される携帯用洗浄器に関するものである。
【０００２】
【従来の技術】
近年、健康に対する意識の高揚や清潔志向から、人体局部を洗浄する洗浄器が広く普及している。洗浄器は通常便座に据え付けられており、洗浄器本体から突出したノズルが使用者に対して洗浄水を噴出しつつ前後左右に揺動させ、局部の洗浄を行う。
【０００３】
最近、外出先でも洗浄器を使用したいという要望から、携帯可能な洗浄器が種々提案されている。以下、携帯洗浄器の一例について説明する。
【０００４】
図５（ａ）は従来の携帯用洗浄器の外観図であり、（ｂ）は同洗浄器の断面図である。１は携帯用洗浄器の電源となる電池、２はこの電池を動力源とするモータ、３はモータにより駆動されるギヤポンプであり、洗浄水を付圧する。４は、これら電池、モータおよびギヤポンプ等を内蔵した本体である。５は洗浄液を噴出する噴出孔を有するノズルであり、６はノズル５と本体４をつなぐ回動軸である。７は前記本体表面上に設けられたスイッチであり、このスイッチを押圧している期間だけモータ２に電圧が印加され、ギヤポンプ３を作動させる。８は使用時に洗浄液を貯留する樹脂製のタンク部であり、携帯時には前記本体４が内部に套嵌され、本体４の収納ケースとしても機能する。９はタンク部８内に洗浄水を給水するための給水口に対して嵌着される着脱可能な給水蓋、１０はタンク部８内の洗浄水をギヤポンプ３に送るための吸水口である。
【０００５】
以上のように構成された携帯用洗浄器について、以下その動作について説明する。まず本体４をタンク部８から引き出し、タンク部８の内部に洗浄水を貯留するための空間を形成する。次に、本体側面近傍に設けられたノズル収納部に保持されていたノズル５を回動軸６を支点として回動させ、本体の長径方向と平行ところまで引き出し、続いてタンク部後部の吸水口より洗浄水を給水し吸水蓋９を閉める。
【０００６】
この状態でスイッチ７を押圧するとモータ２が回転し、ギヤポンプ３によって吸い上げられた洗浄水を回動軸６を通してノズル５の先端の噴出孔５ａから噴出させ、この洗浄水により人体の局部を洗浄する。尚、使用後はタンク部８内に貯留された洗浄液を全て噴出させた後、ノズル５を本体側面のに収納し、本体４をタンク部８内に摺動させ、本体４を収納する。
【０００７】
【発明が解決しようとする課題】
しかしながら上記の従来の構成では、以下に示す問題点を有していた。
【０００８】
すなわち、タンク部に水を入れた状態で放置していた場合、毛細管現象によるノズル先端から水の漏出や、誤ってスイッチを押した場合に水の突出等の問題点を有していた。
【０００９】
さらに、タンク部内に残水があるにもかかわらず、本体をタンク部内に収納した場合、套嵌される本体部がポンプに圧力が付加される。駆動軸部よりモータ側へ残水が浸入し、ポンプを構成する部品に錆発生等の不具合が生じてしまう。また、ポンプの吸入口までの各接合部には、タンク部押圧がかかるので、各接合部の耐圧性を確保する必要があった。
【００１０】
また、ノズルの回動軸の中心軸方向とノズル噴出孔の方向が同一のため本体の側方からノズルを回動させるとき、洗浄水の噴出方向は常に上方となり、噴出孔角度調整ができず、洗浄液噴出孔の位置合せには、本体を持つ手の角度を変える必要があった。さらに、老人や乳児に対して第三者がこの携帯用洗浄器を使用する場合、局部の洗浄の位置合せが困難であった。これは、上体を上向けにした状態にある被使用者に対して洗浄水を噴射する場合、洗浄水を使用者から前方に噴出させる必要があるにも関わらず、携帯用洗浄器の噴出方向が上方となるためである。
【００１１】
一方、洗浄液噴出量の調節には噴出孔の穴径の異なるノズルを複数使用していたため、交換用ノズルを常時携帯しなければならなかった。
【００１２】
本発明は上記従来の問題点を解決するものでタンク部に水の入った状態での洗浄液噴出孔からの不要な水の噴出を防ぐと共に、タンク部内に残水があった場合にタンク部を摺動させてもモータや各接合部に不具合が生じることなくノズルの角度あるいは洗浄液噴出量を容易に調節でき、携帯時の小型化を実現した携帯用洗浄器を提供することを目的とする。
【００１３】
【課題を解決するための手段】
この目的を達成するために本発明の携帯用洗浄器は、洗浄液を噴出する噴出孔を有したノズルと、ポンプ、モータ及び電池を備えた本体部と、本体部とノズルをつなぐ回動軸部と、回動軸部の回動に応じ洗浄液の流路を開閉するパッキンと洗浄液を貯留する多段式に伸縮自在なタンク部によって構成されている。
【００１４】
なお、ポンプは本体部に形成した吸入口に直接取り付け、あるいは本体部とポンプケースが一体で形成されている。ノズルは噴出孔の角度が多段式に調節可能になっており、パッキンはこのノズルの回動角度により洗浄液流出面積の調節が可能となっている構成である。
【００１５】
この構成によって、回動軸部の回動に応じて開閉するパッキンにより、ノズル収納時には流路は「閉」状態となるため毛細管現象あるいはスイッチ誤操作においても、ノズル先端の噴出孔より不要な洗浄液の噴出を防ぐことができる。
【００１６】
また、駆動軸に軸シールを備えることにより、ポンプ内に異常な水圧がかかった場合においても、駆動軸まわりは、軸シールにより防水されており、モータ側への水の浸入を防ぐことができる。さらに、洗浄液吸入口にポンプを取り付けるに際しチューブ等を介することなく直接取り付けることにより部品を削減し接合部の信頼性を高めることができ、ポンプケースを本体部の一部で形成することにより接合部はなくなり信頼性はさらに高くなる。
【００１７】
また、ノズルは回動軸を有し、その回動中心軸方向とノズル噴出孔の方向と直交するように構成するとともに、多段式にクリック感をもたせることにより、本体を持つ手の角度を変えることなく、好みのノズル角度で使用できる。
【００１８】
また、パッキンは、回動軸の回転角度に応じて、流路との当接面積を変化さ
せ、流路の開閉状態により流量を調節することができる。
【００１９】
【発明の実施の形態】
以下、本発明の好ましい実施の形態を図面を参照しつつ説明する。
【００２０】
図１は本発明の携帯用洗浄器の外観図、図２は本発明の実施例における携帯用洗浄器の断面図である。また、図３は回動軸近傍の断面図であり、図４はポンプの断面図である。
【００２１】
当該各図面において従来の携帯用洗浄器と同等の機能を果たす各構成要素については同一番号を付し、その機能についての詳細な説明も省略する。
【００２２】
１１は回動軸６を保持し流路口を側面に設けた軸受部、１２は軸受部１１の流路口を閉塞し、且つ回動軸６に保持されるパッキンである。
【００２３】
１３はポンプに水を引き込むポンプケース、１４は減速部、１５はポンプギヤ、１６はモータ２の回転を減速部１４を介してポンプギヤ１５に伝える駆動軸、１７は駆動軸部からの水の浸入を防ぐための軸シールである。
【００２４】
以上のように構成された携帯用洗浄器について、その動作を詳細に説明する。
まず、本体４をタンク部８から引き出す。次に給水蓋９を開け、タンク部後部より洗浄液を入れる。その後、給水蓋９を閉じ、洗浄水をタンク部４に貯留する。このとき、給水蓋９の周囲に設置されたＯリングにより、給水口付近からの洗浄液の水漏れは起こらない。
【００２５】
回動軸６の片側面に保持されているパッキン１２が、図３（ｄ）のように軸受部１１の流路を閉塞しているため、スイッチ７を押してもノズル５の先端の噴出孔からの水の噴出はない。次に回動軸６の基端を支点として揺動させ本体４と平行にスイッチ７とノズル５が直線上に並ぶところまで引き出す。
【００２６】
この時、図３（ａ）、（ｂ）および（ｃ）に示すように、回動軸６の片側面に保持されているパッキン１２は軸受部の流路をふさがない。この状態でスイッチ７を押圧すると、モータ２に電圧が印加されると、洗浄液は吸水口１０からギヤポンプによって吸い上げられる。ポンプにより付圧された洗浄水は軸受部１１にＲ方向から浸入し、回動軸６が位置する昇降へ送出され、ノズル５の先端噴出孔５ａより噴射される。
【００２７】
タンク部８内の洗浄液を全て噴出した後、回動軸６を回動させノズル５を本体に図２におけるＰ方向に回動させ、本体をＱ方向に摺動させることでタンク部８内に本体４を収納する。この時、ポンプの駆動軸１６には軸シール１７が備えられている為、間隙を介してモータ２側への水の浸入は生じない。さらに、ポンプ３は本体吸水口１０にＯリングを介して直接挿入されていおり、水圧が付加された場合でも水モレの危険が少ない。
【００２８】
以上のように本実施例によれば、回動軸に片側面にのみパッキンを設けることによりノズル収納時には不用意な水の噴出はなく、また駆動軸に軸シールを設けポンプを本体に直接取り付けることにより、水モレの危険を少なくすることができる。さらに、図５に示すように本体を持つ手の角度は同じで、噴出方向を自在に設定でき、図７に示すように他者の局所も容易に洗浄できる。
【００２９】
なお、実施例において、ギヤポンプ３のポンプケース１３は、本体４に直接取り付ける構造としたが、ポンプケース１３は本体４で形成されていてもよいことは言うまでもない。
【００３０】
また、回動軸６は単なる回動としたが、多段的にクリック感を持たせ、各段でノズル５を固定できるようにしてもよい。あるいは、パッキン１２はノズル５の収納時のみ閉状態となるようにしたが、パッキン１２は回動軸６の回動に伴い徐々に流路をせばめていく構造としてもよい。
【００３１】
さらに、実施例においてタンク部８は、１段収納としたが、タンク部８は２段以上の伸縮構造にすることにより、タンク部容量は大きくても、収納時は、本体の小型化に応じて小さくでき、携帯にさらに有効である。
【００３２】
【発明の効果】
以上のように本発明は、洗浄液を噴出する噴出孔を有したノズルと、本体に直接取り付けあるいは本体と一体成形されたポンプ、モータ及び電池を備えた本体部と、本体部とノズルをつなぐ多段的に調節可能な回動軸部と、回動軸部の回動に応じて洗浄液の流路を開閉するパッキンと、洗浄液を貯留する多段的に伸縮自在なタンク部を設けることにより、ノズル収納状態での洗浄液噴出孔からの不要な水の噴出を防ぐとともに、タンク部内に残水があった場合にタンク部を摺動させてもモータや各接合部に水モレ等の不具合が生じることなく、ノズルの角度あるいは洗浄液噴出量を容易に調整でき、自分の局所だけでなく、他者の局所も洗浄でき携帯時の小型化を計ることもできる優れた携帯用洗浄器を実現できるものである。
【図面の簡単な説明】
【図１】本発明の一実施例における携帯用洗浄器の外観図
【図２】本発明の一実施例における携帯用洗浄器の断面図
【図３】（ａ）  本体から回動軸への洗浄水流路を示す回動軸近傍の縦断面図
（ｂ）  本体から回動軸への洗浄水流路を示す回動軸近傍の横断面図
（ｃ）  回動軸とパッキンの関係で流路「開」状態を示す断面図
（ｄ）  回動軸とパッキンの関係で流路「閉」状態を示す断面図
【図４】ポンプの断面図
【図５】（ａ）  従来の携帯用洗浄器の外観図
（ｂ）  従来の携帯用洗浄器の断面図
【図６】使用形態の模式図
【図７】他者への使用形態の模式図
【符号の説明】
１  電池
２  モータ
３  ポンプ
４  本体
５  ノズル
６  回動軸
７  スイッチ
８  タンク部
１１    軸受部
１２  パッキン
【図１】
0003564868.tif 000002
【図２】
0003564868.tif 000003
【図３】
0003564868.tif 000004
【図４】
0003564868.tif 000005
【図５】
0003564868.tif 000006
【図６】
0003564868.tif 000007
【図７】
0003564868.tif 000008